(57)【要約】【課題】クランパに付着したディスクの引き剥がし構成の薄型化を実現することで、従来よりもさらなる小型化、薄型化を可能にした光ディスク装置を提供する。【解決手段】クランパユニット３はトレイ２のディスク載置面に対し筐体奥側が下がるように傾斜して取り付けられていることにより、ディスク１６のクランパ４への付着時に、ディスク１６も筐体奥側が下がるように保持され、トレイ２上のディスク載置面にディスク１６の外周が当たることにより、トレイ２の搬送動作によってディスク１６をクランパ４の付着から引き剥がす。【選択図】図５
2010211847.tif 000002
【特許請求の範囲】
【請求項１】
ディスクの載置面に対し平行に移動可能なトレイと、ディスクに対して情報信号の記録又は再生を行う光ピックアップと前記ディスクを回転させるターンテーブルを保有するトラバースユニットと、モータと、前記モータの駆動力により前記光ピックアップを前記ディスクの径方向に移動させることが可能な光ピックアップ送り機構と、前記モータの駆動力により記録再生位置に位置する前記トレイ上の前記ディスクを当該ディスクの上方に配置されたクランパと前記ターンテーブルとの間で挟持可能なクランプ位置と当該ディスクから離れた退避位置に前記トラバースユニットを移動させることが可能な昇降スライダーと、前記モータの駆動力により筐体外の待機位置と前記ディスク記録再生位置との間で前記トレイを往復させることが可能なトレイ駆動機構と、前記クランパと当該クランパを移動可能に保持するクランプ板からなるクランパユニットを備える光ディスク装置であって、前記クランパユニットは前記トレイのディスク載置面に対し筐体奥側が下がるように傾斜して取り付けられていることを特徴とする光ディスク装置。
【請求項２】
前記クランパユニットはトラバースユニットの退避位置において、前記トレイのディスク載置面に対し筐体奥側が下がるように、前記クランプ板の筐体前側上面に突起を設けたことを特徴とする請求項１に記載の光ディスク装置。
【発明の詳細な説明】
【技術分野】
【０００１】
本発明は、ＣＤ（コンパクトディスク）やＤＶＤ（デジタルバーサトルディスク）等の情報記録媒体としての光ディスク（以下、ディスクという）を記録及び／又は再生を行う光ディスク装置に関するものである。
【背景技術】
【０００２】
従来、ディスクの記録再生位置から交換位置への搬送には、トラバースユニットのクランプ位置から退避位置への移動と同時に、トレイにディスクを載置しトレイの搬送動作を行なう方式が知られている。また、近年市販されているクランプエリアに印刷および塗装されているディスクはクランパへ付着し易く、トラバースユニットをクランプ位置から退避位置へ移動させた後、トレイの搬送動作に連動して、クランパへ付着したディスクをトレイに形成した突起物により引き剥がす方式にしている。
【０００３】
上記のように構成される従来の光ディスク装置において、トレイの搬送動作時のトレイとクランパの隙間確保として、ディスク主面に対しクランパの垂直方向への移動量を大きくすると同時に、トレイとターンテーブルの隙間確保として、トラバースユニットのクランプ位置から退避位置への移動量を大きくする必要がある。このため、光ディスク装置の厚みは必然的に厚くなるという課題がある。
【特許文献１】特開２０００−２２２８０３号公報
【発明の開示】
【発明が解決しようとする課題】
【０００４】
しかしながら、特許文献１の装置では、トレイの搬送動作時のトレイとクランパおよび、トレイとターンテーブルの隙間確保のために、トラバースユニットのクランプ位置から退避位置への移動量を大きくする必要がある。このため、特許文献１に開示された技術では、ディスクチェンジャー装置の小型化、薄型化を図るのに不利であり、特に装置厚みを抑えることが困難である。
【０００５】
従って、本発明の目的は、上記問題を解決することにあって、クランパに付着したディスクの引き剥がし構成の薄型化を実現することで、従来よりもさらなる小型化、薄型化を可能にした光ディスク装置を提供することにある。
【課題を解決するための手段】
【０００６】
上記目的を達成するために、本発明は以下のように構成する。
【０００７】
本発明の第１態様によれば、筐体外側にてディスクの交換が可能であり、前記筐体内のディスク記録再生位置にディスクを搬送して、当該ディスクに対して情報信号の記録又は再生を行う光ディスク装置であって、前記ディスクの載置面に対し平行に移動可能なトレイと、前記ディスクに対して情報信号の記録又は再生を行う光ピックアップと前記ディスクを回転させるターンテーブルを保有するトラバースユニットと、モータと、前記モータの駆動力により前記光ピックアップを前記ディスクの径方向に移動させることが可能な光ピックアップ送り機構と、前記モータの駆動力により記録再生位置に位置する前記トレイ上の前記ディスクを当該ディスクの上方に配置されたクランパと前記ターンテーブルとの間で挟持可能なクランプ位置と当該ディスクから離れた退避位置に前記トラバースユニットを移動させることが可能な昇降スライダーと、前記モータの駆動力により前記筐体外の待機位置と前記ディスク記録再生位置との間で前記トレイを往復させることが可能なトレイ駆動機構と、前記クランパと当該クランパを移動可能に保持するクランプ板からなるクランパユニットであって、前記クランプユニットは前記トレイのディスク載置面に対し筐体奥側が下がるように傾斜して取り付けられていることを特徴とする光ディスク装置を提供する。
【０００８】
本発明の第２態様によれば、前記クランパは前記トレイのディスク載置面に対し筐体奥側が下がるように、前期クランプ板の筐体前側上面に突起を設けたことを特徴とする、
第１態様に記載の光ディスク装置を提供する。
【発明の効果】
【０００９】
本発明にかかる光ディスク装置によれば、クランパユニットがトレイのディスク載置面に対し筐体奥側が下がるように傾斜して取り付けられていることにより、クランプエリアまで印刷および塗装されているディスクのクランパへの付着時に、当該ディスクも筐体奥側が下がるように保持され、トレイ上のディスク載置面に当該ディスク外周が当たることにより、トラバースユニットのクランプ位置から退避位置への移動後、トレイの搬送動作によって当該ディスクをクランパの付着から引き剥がす構成になっている。
これにより、トレイに突起物を形成する必要がなく、トレイを薄く構成できることから小型化することができる。
【００１０】
また、本発明にかかる光ディスク装置において、クランパを移動可能に保持するクランプ板の筐体前側上面に突起を設けることで、クランパが前記トレイのディスク載置面に対し筐体奥側が下がるように傾斜して保持されるため、クランプエリアまで印刷および塗装されているディスクのクランパへの付着時に、当該ディスクも筐体奥側が下がるように保持され、トレイ上のディスク載置面に当該ディスク外周が当たることにより、トラバースユニットのクランプ位置から退避位置への移動後、トレイの搬送動作によって当該ディスクをクランパの付着から引き剥がす構成になっている。
これにより、トレイに突起物を形成する必要がなく、トレイを薄く構成できることから小型化することができる。
【発明を実施するための最良の形態】
【００１１】
本発明の記述を続ける前に、添付図面において同じ部品については同じ参照符号を付している。
【００１２】
以下、本発明の最良の実施の形態について、図面を参照しながら説明する。
【００１３】
《実施形態》
本発明の実施形態にかかる光ディスク装置について説明する。図１は、本発明の実施形態にかかる光ディスク装置のディスク交換位置の斜視図である。図２は、本発明の実施形態にかかる光ディスク装置のディスク記録再生位置の斜視図である。図３は、本発明の実施形態にかかる光ディスク装置のディスク記録再生位置で一部部品を取り外した斜視図である。図４は、本発明の実施形態にかかる光ディスク装置において、クランプ板が筐体奥側へ下がるように傾斜して取り付けられたトラバースユニットのクランプ位置を示す部分側面図である。図５は、本発明の実施形態にかかる光ディスク装置において、クランプ板が筐体奥側へ下がるように傾斜して取り付けられたトラバースユニットの退避位置を示す部分側面図である。図６は、本発明の実施形態にかかる光ディスク装置において、クランプ板がトレイに対し水平に取り付けられたトラバースユニットの退避位置を示す部分側面図である。
【００１４】
図１において、光ディスク装置は、各部品を支持する装置本体１と、ディスク載置面に対して光ディスク装置の内側Ａ方向と外側Ｂ方向へ装置本体１上を平行に移動するトレイ２と、装置本体１の軸受け部を回動中心としてＣ、Ｄ方向へ上下動するトラバースユニット６と、トレイ２の上方にクランパユニット３を有している。クランパユニット３にはクランプ板５がクランパ４を移動可能に組立て保持されており、クランパユニット３は装置本体１に取り付けられている。トラバースユニット６を退避位置まで下降させる昇降スライダー１４は装置本体１のＥ、Ｆ方向にスライド可能に取り付けられている。トラバースユニット６には動作の駆動源となるモータ８と、モータ８の駆動力を伝達する駆動機構１３と、ディスク情報を記録再生する光ピックアップ９と、光ピックアップ９をディスク１６の主面の内周から外周まで移動可能な光ピックアップ送りラック１１と、トレイ２を水平動作させるトレイ駆動機構１５を構成する送りギヤ１５ｂと、クランパ４とともにディスク１６をクランプ位置にて挟持するターンテーブル７とが取り付けられている。
トレイ２はディスクの交換位置に搬送されており、トラバースユニット６は退避位置までＤ方向へ下降している。この状態でディスク１６の交換が可能である。なお、トレイ２はディスク１６を載置可能なように段部２ｂを備えている。Ａ、Ｂ、Ｅ，Ｆ方向はトレイ２のディスク載置面に対して平行で、Ｃ、Ｄ方向はトレイのディスク載置面に対して垂直である。
なお、ディスク１６にはクランプエリアまで印刷および塗装されたものもある。
図２において、トレイ２はディスクの記録再生位置に搬送されており、トラバースユニット６はクラクランプ位置までＣ方向へ上昇している。この状態でディスクの記録再生が可能である。
図３において、光ディスク装置の装置本体１には、装置本体１の軸受け部を回動中心としてＣ、Ｄ方向へ上下動するトラバースユニット６と、トラバースユニット６を記録再生可能なクランプ位置とディスク１６から離れた退避位置とに移動させる昇降スライダー１４がＥ、Ｆ方向にスライド動作可能に保持され、トレイのディスク載置面に対して光ディスク装置の内側Ａ方向と外側Ｂ方向へ装置本体１上にて平行に搬送するトレイ駆動ギヤ１５ａが回転可能に保持されている。トラバースユニット６には動作の駆動源となるモータ８と、モータ８の駆動力を伝達する駆動機構１３と、ディスク情報を記録再生する光ピックアップ９と、光ピックアップ９をディスク１６の主面の内周から外周まで移動可能な光ピックアップ送り機構１０と、トレイ２を水平動作させるトレイ駆動機構１５を構成する送りギヤ１５ｂと、クランパ４とともにディスク１６をクランプ位置にて挟持するターンテーブル７が取り付けられている。
駆動機構１３はギヤａ、ギヤｂ、ギヤｃから構成されており、光ピックアップ送り機構１０は光ピックアップ送りラック１１と光ピックアップ送りギヤ１２から構成されている。
図１、図２および図３にてディスクの搬送動作を説明する。
ディスク１６は筐体外のディスク交換位置でトレイ２に載置され、トレイ駆動機構１５によって筐体内Ａ方向の記録再生位置に搬送される。更にトレイ２の搬送動作に連動して昇降スライダー１４がＥ方向にスライドすると、トラバースユニット６が装置本体１の軸受け部を回動中心として退避位置からＣ方向に上昇し、トラバースユニット６上のターンテーブル７がディスク１６を記録再生可能なクランプ位置へ持ち上げる。このクランプ位置にてディスク１６は回転し記録および再生が可能となる。一方、記録再生中のディスク１６を交換する場合は、トレイ駆動機構１５によって昇降スライダー１４が記録再生時と逆方向のＦ方向にスライドし、トラバースユニット６は装置本体１の軸受け部を回動中心として記録再生位置からＤ方向に下降することで、トラバースユニット６上のターンテーブル７がディスク１６をトレイ２上のディスク載置面に戻し、更にトラバースユニット６は退避位置までＤ方向へ下降する。トラバースユニット６の退避位置までの動作に連動してディスク１６はトレイ２に載置されたまま筐体内の記録再生位置から筐体外Ｂ方向のディスク交換位置まで搬送される。
【００１５】
図４に示すように、トラバースユニット６は昇降スライダー１４によってクランパ４とターンテーブル７でディスク１６を挟持するクランプ位置に持ち上げられている。なお、クランパ４を移動可能に保持するクランプ板５はトレイ２のディスク載置面に対し、筐体奥側Ａ方向が下がるように傾斜して取り付けられており、当該クランプ位置はディスク３を記録再生可能な位置である。図５に示すように、トラバースユニット６は昇降スライダー１４によってクランパ４とターンテーブル７にてディスク２を挟持するクランプ位置から、ディスク１６から離れた退避位置Ｄ方向に下げられている。ディスク１６がクランパ４へ付着すると、クランパ４はディスク１６とともに重力により下がるが、トレイ２のディスク載置面に対して筐体奥側Ａ方向へ下がるように傾斜して取り付けられているクランプ板５の筐体前側Ｂ方向の上面と、クランパ４が当接することにより、ディスク１６は筐体奥側Ａ方向が下がるように保持され、トレイ２上の段部２ｂにディスク１６の外周部が当接し、トレイ２の搬送動作によってクランパ４に付着しているディスク１６を引き剥がす構成になっている。  なお、引き剥がされたディスク１６は表面の傷つき防止のためクランパ４に接触しないようディスク１６の厚み方向に隙間を有し、筐体内のディスク記録再生位置から筐体外Ｂ方向のディスク交換位置へ搬送される。また、ディスク１６の記録再生を開始する場合、ディスク１６は表面の傷つき防止のためクランパ４とディスク１６の厚み方向に隙間を有し、筐体外のディスク交換位置から筐体内Ａ方向のディスク記録再生位置へ水平移動される。一方、従来の構成は図６に示すようにトラバースユニット６は昇降スライダー１４によってクランパ４とターンテーブル７にてディスク１６を挟持するクランプ位置から、ディスク１６から離れた退避位置Ｄ方向に下げられている。ディスク１６がクランパ４へ付着すると、クランパ４はディスク１６とともに重力により下がるが、クランプ板５はトレイ２のディスク載置面に対して平行に取り付けられていることにより、ディスク１６はトレイ２のディスク載置面に平行に保持され、トレイ２上の突起物２ａにディスク１６の外周部が当接し、トレイ２の搬送動作によってクランパ４に付着しているディスク１６を引き剥がす構成になっている。  なお、引き剥がされたディスク１６は表面の傷つき防止のためクランパ４に接触しないようディスク１６の厚み方向に隙間を有し、筐体内のディスク記録再生位置から筐体外Ｂ方向のディスク交換位置へ搬送される。また、ディスク１６の記録再生を開始する場合、ディスク１６は表面の傷つき防止のためクランパ４とディスク１６の厚み方向に隙間を有し、筐体外のディスク交換位置から筐体内Ａ方向のディスク記録再生位置へ水平移動される。トレイ２には突起物２ａがあるため厚みが厚くなっており、トレイ搬送動作時のクランパ４とトレイの隙間を有するためにトラバースユニット６の退避位置への移動量も大きくとる必要がある。
なお、本実施形態においては、ターンテーブル７がクランパ４との間でディスク１６を挟持可能に上昇した位置をクランプ位置といい、ターンテーブル７がクランパ４と離れるように下降した位置を退避位置という。また、トレイが筐体外に移動した位置をディスク交換位置といい、筐体内へ移動した位置を記録再生位置という。
かかる構成によれば、クランプ板５がトレイ２のディスク載置面に対し、筐体奥側Ａ方向に下がるように傾斜して取り付けられていることにより、クランプエリアまで印刷および塗装されているディスク１６のクランパ４への付着時に、ディスク１６も筐体奥側が下がるように保持され、トレイ２上のディスク載置面にディスク１６の外周が当接することにより、トラバースユニット６のクランプ位置から退避位置への移動後、トレイ２の搬送動作によってディスク１６をクランパ４の付着から引き剥がす構成になっている。
これにより、トレイ２に突起物２ａを形成する必要がなく、トレイ２を薄く構成できることから小型化することができる。
【００１６】
また、本発明の実施形態にかかる光ディスク装置について説明する。図７は光ディスク装置において、トラバースユニットの退避位置を示す部分側面図であり、クランプ板５には上面側に突起５ａが設けられている。図７に示すように、トラバースユニット６は昇降スライダー１４によってクランパ４とターンテーブル７にてディスク２を挟持するクランプ位置から、ディスク１６から離れた退避位置へ下げられている。ディスク１６がクランパ４へ付着すると、クランパ４はディスク２とともに重力により下がるが、クランプ板５の筐体前側Ｂ方向上面にある突起６ａにクランパ４が当接することにより、ディスク１６は筐体奥側Ａ方向が下がるように保持され、トレイ２上の段部２ｂにディスク１６の外周部が当接し、トレイ２の搬送動作によってクランパ４に付着しているディスク１６を引き剥がす構成になっている。この場合、クランプ板５はトレイ２のディスク載置面に対し、平行に取り付けられていてもよい。
【００１７】
なお、引き剥がされたディスク１６は表面の傷つき防止のためクランパ４に接触しないようディスク１６厚み方向に隙間を有し、筐体内Ａ方向のディスク記録再生位置から筐体外Ｂ方向のディスク交換位置へ水平移動される。また、ディスク１６の記録再生を開始する場合、ディスク１６は表面の傷つき防止のためクランパ４とディスク１６の厚み方向に隙間を有し、筐体外Ｂ方向のディスク交換位置から筐体内Ａ方向のディスク記録再生位置へ水平移動される。なお、本実施形態においては、ターンテーブル７がクランパ４との間でディスク１６を挟持可能に上昇した位置をクランプ位置といい、ターンテーブル７がクランパ４と離れるように下降した位置を退避位置という。また、トレイが筐体外Ｂ方向に移動した位置をディスク交換位置といい、筐体内Ａ方向へ移動した位置を記録再生位置という。
かかる構成によれば、クランプ板５の筐体前側Ｂ方向上面にある突起６ａにクランパ４が当接することにより、クランプエリアまで印刷および塗装されているディスク１６のクランパ４への付着時に、ディスク１６も筐体奥側が下がるように保持され、トレイ２上のディスク載置面にディスク１６の外周が当接することにより、トラバースユニット６のクランプ位置から退避位置への移動後、トレイ２の搬送動作によってディスク１６をクランパ４の付着から引き剥がす構成になっている。
これにより、トレイ２に突起物を形成する必要がなく、トレイ４を薄く構成できることから小型化することができる。
【００１８】
なお、本発明は上記実施形態に限定されるものではなく、その他種々の態様で実施できる。
【産業上の利用可能性】
【００１９】
本発明にかかる光ディスク装置は、ディスクのクランパへの付着時に、当該ディスクは筐体奥側が下がるように保持され、トレイの搬送動作によって当該ディスクをクランパの付着から引き剥がす構成になっている。
これにより、トレイに突起物を形成する必要がなく、トレイを薄く構成できることから小型化することができるので、例えば、車やコンポーネントステレオ（いわゆるコンポ）などの他の機器と組み合わされて使用される光ディスク装置として有用である。
【図面の簡単な説明】
【００２０】
【図１】本発明の実施形態にかかる光ディスク装置のディスク交換位置の斜視図
【図２】本発明の実施形態にかかる光ディスク装置のディスク記録再生位置の斜視図
【図３】本発明の実施形態にかかる光ディスク装置のディスク記録再生位置で一部部品を取り外した斜視図
【図４】光ディスク装置においてクランプ板が筐体奥側へ下がるように傾斜して取り付けられたトラバースユニットのクランプ位置を示す部分側面図
【図５】光ディスク装置においてクランプ板が筐体奥側へ下がるように傾斜して取り付けられたトラバースユニットの退避位置を示す部分側面図
【図６】光ディスク装置においてクランプ板がトレイに対し水平に取り付けられたトラバースユニットの退避位置を示す部分側面図
【図７】光ディスク装置においてクランプ板の前面側上面に突起が設けられたトラバースユニットの退避位置を示す部分側面図
【符号の説明】
【００２１】
１    装置本体
２    トレイ
２ａ    突起物
２ｂ    段部
３    クランパユニット
４    クランパ
５    クランプ板
５ａ    突起
６    トラバースユニット
７    ターンテーブル
８    モータ
９    光ピックアップ
１０    光ピックアップ送り機構
１１    光ピックアップ送りラック
１２    光ピックアップ送りギヤ
１３    駆動機構
１３ａ    送りギヤ１
１３ｂ    送りギヤ２
１３ｃ    送りギヤ３
１４    昇降スライダー
１５    トレイ駆動機構
１５ａ    トレイ駆動ギヤ
１５ｂ    送りギヤ４
１６    ディスク
【図１】
2010211847.tif 000003
【図２】
2010211847.tif 000004
【図３】
2010211847.tif 000005
【図４】
2010211847.tif 000006
【図５】
2010211847.tif 000007
【図６】
2010211847.tif 000008
【図７】
2010211847.tif 000009